(57)【要約】【課題】バーナと電気ヒータを備える温風暖房機において、ポストファン運転の時間を不要に長くすることなく、バーナおよび電気ヒータを確実に冷却することが可能な技術を提供する。【解決手段】本明細書は、温風暖房機を開示する。温風暖房機は、筐体と、バーナと、電気ヒータと、送風ファンと、制御装置を備えている。温風暖房機は、バーナによる加熱を行う第１暖房運転と、バーナによる加熱を行うことなく電気ヒータによる加熱を行う第２暖房運転を実行可能である。温風暖房機では、第２暖房運転の終了後に行うポストファン運転の継続時間が、当該第２暖房運転での加熱能力と同程度の加熱能力で行われる第１暖房運転の終了後に行うポストファン運転の継続時間よりも長く設定されている。【選択図】図３
2019007677.tif 000002
【特許請求の範囲】
【請求項１】
給気口と吹出口を備える筐体と、
燃料を燃焼させて空気を加熱するバーナと、
電力を熱に変換して空気を加熱する電気ヒータと、
給気口を介して室内から空気を取り込み、バーナと電気ヒータを通過させて、吹出口を介して室内に空気を送り出す送風ファンと、
制御装置を備えており、
バーナによる加熱を行う第１暖房運転と、バーナによる加熱を行うことなく電気ヒータによる加熱を行う第２暖房運転を実行可能であり、
第１暖房運転の終了後に、第１継続時間にわたって送風ファンを動作させる第１ポストファン運転を実行し、
第２暖房運転の終了時に、第２継続時間にわたって送風ファンを動作させる第２ポストファン運転を実行し、
第２暖房運転の終了後に行う第２ポストファン運転における第２継続時間が、当該第２暖房運転での加熱能力と同程度の加熱能力で行われる第１暖房運転の終了後に行う第１ポストファン運転における第１継続時間よりも長く設定されている、温風暖房機。
【請求項２】
第１暖房運転の終了後に行う第１ポストファン運転における第１継続時間が、当該第１暖房運転の実行中に、加熱能力の増加に追随して第１増加率で増加するように設定されており、
第２暖房運転の終了後に行う第２ポストファン運転における第２継続時間が、当該第２暖房運転の実行中に、加熱能力の増加に追随して第２増加率で増加するように設定されており、
第２増加率が第１増加率よりも低く設定されている、請求項１の温風暖房機。
【請求項３】
第１暖房運転の終了後に行う第１ポストファン運転における第１継続時間が、当該第１暖房運転の実行中に、加熱能力の低減に追随して第１低減率で低減するように設定されており、
第２暖房運転の終了後に行う第２ポストファン運転における第２継続時間が、当該第２暖房運転の実行中に、加熱能力の低減に追随して第２低減率で低減するように設定されており、
第２低減率が第１低減率よりも低く設定されている、請求項１または２の温風暖房機。
【発明の詳細な説明】
【技術分野】
【０００１】
本明細書は、温風暖房機に関する。
【背景技術】
【０００２】
特許文献１に、給気口と吹出口を備える筐体と、燃料を燃焼させて空気を加熱するバーナと、給気口を介して室内から空気を取り込み、バーナを通過させて、吹出口を介して室内に空気を送り出す送風ファンと、制御装置を備える温風暖房機が開示されている。この温風暖房機は、バーナによる加熱を終了した時に、送風ファンを動作させるポストファン運転を実行可能である。
【先行技術文献】
【特許文献】
【０００３】
【特許文献１】特開平１０−９５６４号公報
【発明の概要】
【発明が解決しようとする課題】
【０００４】
燃料を燃焼させて空気を加熱するバーナだけでなく、電力を熱に変換して空気を加熱する電気ヒータを備える温風暖房機が知られている。このような温風暖房機では、バーナによる加熱を終了した時だけでなく、電気ヒータによる加熱を終了した時にも、筐体の内部を冷却するために、ポストファン運転を行う必要がある。
【０００５】
一般に、電気ヒータはバーナに比べて比熱が高く、ポストファン運転において電気ヒータはバーナに比べて温度低下しにくい。このため、バーナによる加熱を終了した時と、電気ヒータによる加熱を終了した時で、同じようにポストファン運転を実行すると、バーナを不必要に冷却し過ぎたり、電気ヒータの冷却が不十分になるおそれがある。バーナと電気ヒータを備える温風暖房機において、ポストファン運転においてバーナと電気ヒータを適切に冷却することが可能な技術が期待されている。
【０００６】
本明細書では、上記課題を解決する技術を提供する。本明細書では、バーナと電気ヒータを備える温風暖房機において、ポストファン運転においてバーナと電気ヒータを適切に冷却することが可能な技術を提供する。
【課題を解決するための手段】
【０００７】
本明細書は、温風暖房機を開示する。温風暖房機は、給気口と吹出口を備える筐体と、燃料を燃焼させて空気を加熱するバーナと、電力を熱に変換して空気を加熱する電気ヒータと、給気口を介して室内から空気を取り込み、バーナと電気ヒータを通過させて、吹出口を介して室内に空気を送り出す送風ファンと、制御装置を備えている。温風暖房機は、バーナによる加熱を行う第１暖房運転と、バーナによる加熱を行うことなく電気ヒータによる加熱を行う第２暖房運転を実行可能である。温風暖房機は、第１暖房運転の終了後に、第１継続時間にわたって送風ファンを動作させる第１ポストファン運転を実行する。温風暖房機は、第２暖房運転の終了時に、第２継続時間にわたって送風ファンを動作させる第２ポストファン運転を実行する。温風暖房機では、第２暖房運転の終了後に行う第２ポストファン運転における第２継続時間が、当該第２暖房運転での加熱能力と同程度の加熱能力で行われる第１暖房運転の終了後に行う第１ポストファン運転における第１継続時間よりも長く設定されている。
【０００８】
上記の構成では、第２暖房運転（バーナによる加熱を行うことなく電気ヒータによる加熱を行う暖房運転）の終了後に行う第２ポストファン運転における第２継続時間が、当該第２暖房運転での加熱能力と同程度の加熱能力で行われる第１暖房運転（バーナによる加熱を行う暖房運転）の終了後に行う第１ポストファン運転における第１継続時間よりも長く設定されている。上記の構成によれば、第１ポストファン運転においてバーナを適切に冷却するとともに、第２ポストファン運転において電気ヒータを適切に冷却することができる。
【０００９】
上記の温風暖房機は、第１暖房運転の終了後に行う第１ポストファン運転における第１継続時間が、当該第１暖房運転の実行中に、加熱能力の増加に追随して第１増加率で増加するように設定されていてもよく、第２暖房運転の終了後に行う第２ポストファン運転における第２継続時間が、当該第２暖房運転の実行中に、加熱能力の増加に追随して第２増加率で増加するように設定されていてもよく、第２増加率が第１増加率よりも低く設定されていてもよい。
【００１０】
上記の構成では、第１暖房運転の実行中に加熱能力が増加した場合に、加熱能力の増加に追随して第１継続時間を第１増加率で増加させることで、加熱能力を増加した直後に暖房運転が終了した場合であっても、第１ポストファン運転における第１継続時間を適切に設定することができる。また、上記の構成では、第２暖房運転の実行中に加熱能力が増加した場合に、加熱能力の増加に追随して第２継続時間を第２増加率で増加させることで、加熱能力を増加した直後に暖房運転が終了した場合であっても、第２ポストファン運転における第２継続時間を適切に設定することができる。一般に、バーナに比べて電気ヒータは比熱が高いので、第１暖房運転でバーナの加熱能力を増加させた場合のバーナの温度上昇に比べて、第２暖房運転で電気ヒータの加熱能力を増加させた場合の電気ヒータの温度上昇の方が、緩やかなものとなる。上記の構成によれば、第２増加率が第１増加率よりも低く設定されているので、第１ポストファン運転の第１継続時間および第２ポストファン運転の第２継続時間を、適切に設定することができる。
【００１１】
上記の温風暖房機は、第１暖房運転の終了後に行う第１ポストファン運転における第１継続時間が、当該第１暖房運転の実行中に、加熱能力の低減に追随して第１低減率で低減するように設定されていてもよく、第２暖房運転の終了後に行う第２ポストファン運転における第２継続時間が、当該第２暖房運転の実行中に、加熱能力の低減に追随して第２低減率で低減するように設定されていてもよく、第２低減率が第１低減率よりも低く設定されていてもよい。
【００１２】
上記の構成では、第１暖房運転の実行中に加熱能力が低減した場合に、加熱能力の低減に追随して第１継続時間を第１低減率で低減させることで、加熱能力を低減した直後に暖房運転が終了した場合であっても、第１ポストファン運転における第１継続時間を適切に設定することができる。また、上記の構成では、第２暖房運転の実行中に加熱能力が低減した場合に、加熱能力の低減に追随して第２継続時間を第２低減率で低減させることで、加熱能力を低減した直後に暖房運転が終了した場合であっても、第２ポストファン運転における第２継続時間を適切に設定することができる。一般に、バーナに比べて電気ヒータは比熱が高いので、第１暖房運転でバーナの加熱能力を低減させた場合のバーナの温度低下に比べて、第２暖房運転で電気ヒータの加熱能力を低減させた場合の電気ヒータの温度低下の方が、緩やかなものとなる。上記の構成によれば、第２低減率が第１低減率よりも低く設定されているので、第１ポストファン運転の第１継続時間および第２ポストファン運転の第２継続時間を、適切に設定することができる。
【図面の簡単な説明】
【００１３】
【図１】実施例に係るガスファンヒータ２の構成を模式的に示す図である。
【図２】実施例に係るガスファンヒータ２の電気系統を模式的に示す図である。
【図３】実施例に係るガスファンヒータ２における、バーナ１０の加熱能力と、電気ヒータ２４の加熱能力に対する、ファン回転数と、ポストファン時間の対応関係を示す表である。
【図４】実施例に係るガスファンヒータ２におけるポストファン時間の更新の様子を説明するグラフである。
【発明を実施するための形態】
【００１４】
（実施例）
図１を参照しながら、温風暖房機の一実施形態に係るガスファンヒータ２について説明する。ガスファンヒータ２は、背面の給気口４を介して室内から空気を取り込み、吸い込んだ空気を燃焼用空気として燃料ガスを燃焼させ、燃料ガスの燃焼によって加熱された空気を前面の吹出口６から室内に送り出すことで、室内を暖房する。ガスファンヒータ２は、いわゆる開放式のガスファンヒータである。
【００１５】
ガスファンヒータ２は、燃料ガスを供給するガス供給管８と、ガス供給管８からの燃料ガスを燃焼させるバーナ１０と、給気口４から室内の空気を取り込み、加熱された空気を吹出口６から室内に送り出す送風ファン１２と、ガスファンヒータ２の運転を制御する制御部１４と、ユーザがガスファンヒータ２の運転を操作する操作部１６と、これらを収容する筐体１８を備えている。
【００１６】
給気口４は筐体１８の背面の上方側に形成されており、吹出口６は筐体１８の前面の下方側に形成されている。筐体１８の内部には、給気口４から流入した空気の一部をバーナ１０に燃焼用空気として供給し、残りをバーナ１０の燃焼排ガスと混合させた状態で吹出口６に導く内部空気通路２０が形成されている。送風ファン１２は、内部空気通路２０内でバーナ１０よりも下流側（バーナ１０と吹出口６の間）に配置されている。なお、給気口４には、塵埃等の侵入を抑制するエアフィルタ２２が設けられている。
【００１７】
内部空気通路２０内の、送風ファン１２と吹出口６の間には、電気ヒータ２４が設けられている。電気ヒータ２４は、通電によって発熱し、内部空気通路２０を通過する空気を加熱する。電気ヒータ２４は、複数の発熱部位を備えており、それぞれの発熱部位ごとに通電のオン／オフを切り換え可能である。電気ヒータ２４は、通電する発熱部位の個数を切り換えることで、加熱能力を切り換えることができる。
【００１８】
ガス供給管８には、ガス供給管８を開閉する電磁式の開閉弁２６と、ガス供給管８の開度を調整するモータ駆動式の流量調整弁２７が設けられている。ガス供給管８には、ガスファンヒータ２の外部から都市ガス（例えば１３Ａなどの、メタンガス（ＣＨ４）を主成分とするガス）などの燃料ガスが供給される。バーナ１０には、その炎口の上方にイグナイタ２８が設けられている。バーナ１０は、燃焼させる燃料ガスの流量を調整することで、加熱能力を調整可能である。
【００１９】
筐体１８の背面には、室内温度センサ３０が設けられている。室内温度センサ３０は給気口４から筐体１８内に吸い込まれる室内の空気の温度を検出する。室内温度センサ３０としては、熱電対やサーミスタなどの各種形式のものを用いることができる。
【００２０】
図２に示すように、操作部１６は、ユーザがガスファンヒータ２による暖房運転の開始および停止を指示する運転スイッチ３４、ガスファンヒータ２による暖房運転の運転モードを選択するモード選択部３６、暖房目標温度を設定する温度設定部３８、運転モード、暖房目標温度、室内温度等の各種情報を表示する表示部４０などを備えている。ガスファンヒータ２による暖房運転の運転モードは、バーナ単独モード、電気ヒータ単独モード、およびバーナ電気ヒータ併用モードのうちから選択される。バーナ単独モードでは、ガスファンヒータ２は、バーナ１０による空気の加熱を行い、電気ヒータ２４による空気の加熱を行わない。電気ヒータ単独モードでは、ガスファンヒータ２は、電気ヒータ２４による空気の加熱を行い、バーナ１０による空気の加熱を行わない。バーナ電気ヒータ併用モードでは、ガスファンヒータ２は、バーナ１０による空気の加熱と、電気ヒータ２４による空気の加熱の両方を行う。
【００２１】
制御部１４は、送風ファン１２、電気ヒータ２４、開閉弁２６、流量調整弁２７、イグナイタ２８などの動作を制御する。制御部１４は、各種のプログラムやデータを記憶しておくためのメモリ４２と、計時用のタイマ４４を備えている。
【００２２】
制御部１４は、バーナ１０による空気の加熱を行なう際に、バーナ１０の加熱能力を多段階に調整可能である。本実施例では、バーナ１０の加熱能力を、第１段階と、第１段階よりも加熱能力が高い第２段階と、第２段階よりも加熱能力が高い第３段階と、第３段階よりも加熱能力が高い第４段階と、第４段階よりも加熱能力が高い第５段階と、第５段階よりも加熱能力が高い第６段階と、第６段階よりも加熱能力が高い第７段階の、七段階で調整可能である場合を例として説明する。制御部１４は、バーナ１０の加熱能力に応じて、流量調整弁２７の開度を調整してバーナ１０への燃料ガスの供給量を調整するとともに、送風ファン１２の回転数を調整して空気の送風量を調整する。
【００２３】
制御部１４は、電気ヒータ２４による空気の加熱を行なう際に、電気ヒータ２４の加熱能力を多段階に調整可能である。本実施例では、電気ヒータ２４の加熱能力を、弱と、弱よりも加熱能力が高い強の、二段階で調整可能である場合を例として説明する。制御部１４は、電気ヒータ２４の加熱能力に応じて、電気ヒータ２４へ供給する電力を調整するとともに、送風ファン１２の回転数を調整して空気の送風量を調整する。なお、本実施例のガスファンヒータ２においては、電気ヒータ２４の加熱能力を強として電気ヒータ２４による空気の加熱を行う場合の加熱能力は、バーナ１０の加熱能力を第２段階としてバーナ１０による空気の加熱を行う場合の加熱能力とほぼ同程度である。また、電気ヒータ２４の加熱能力を弱として電気ヒータ２４による空気の加熱を行う場合の加熱能力は、バーナ１０の加熱能力を第１段階としてバーナ１０による空気の加熱を行う場合の加熱能力に比べて低い。
【００２４】
図３に示すように、本実施例のガスファンヒータ２では、バーナ１０の加熱能力と、電気ヒータ２４の加熱能力に応じて、送風ファン１２の回転数（図３ではファン回転数と表記）が予め設定されている。例えば、バーナ単独モードにおいて、バーナ１０の加熱能力を第１段階、第２段階、第３段階、第４段階、第５段階、第６段階、第７段階とした場合の送風ファン１２の回転数は、それぞれ、４００ｒｐｍ、５００ｒｐｍ、６００ｒｐｍ、７００ｒｐｍ、８００ｒｐｍ、９００ｒｐｍ、１０００ｒｐｍである。また、バーナ電気ヒータ併用モードにおいて、バーナ１０の加熱能力を第７段階として、電気ヒータ２４の加熱能力を弱とした場合の送風ファン１２の回転数は、１０００ｒｐｍである。さらに、電気ヒータ単独モードにおいて、電気ヒータ２４の加熱能力を弱、強とした場合の送風ファン１２の回転数は、それぞれ、３００ｒｐｍ、５００ｒｐｍである。
【００２５】
本実施例のガスファンヒータ２では、バーナ単独モード、バーナ電気ヒータ併用モードおよび電気ヒータ単独モードの何れのモードについても、暖房運転を実行した後は、筐体１８の内部を冷却するために、ポストファン運転を実行する。ポストファン運転における送風ファン１２の回転数は、例えば６００ｒｐｍである。図３に示すように、ポストファン運転の継続時間（以下ではポストファン時間ともいう）は、暖房運転におけるバーナ１０の加熱能力と、電気ヒータ２４の加熱能力に応じて、予め設定されている。
【００２６】
図４に示すように、本実施例のガスファンヒータ２では、制御部１４は、暖房運転の実行中に、その暖房運転が終了した後に行うべきポストファン運転の継続時間（ポストファン時間）を、常時更新している。そして、ガスファンヒータ２が暖房運転を終了すると、制御部１４は、その時点で設定されているポストファン時間に基づいて、ポストファン運転を実行する。なお、図４では、暖房運転が行われている期間ｔ１，ｔ２，ｔ３，ｔ４，ｔ５，ｔ６，ｔ７，ｔ８において、ガスファンヒータ２の加熱能力が以下のように変化する場合を例示している。期間ｔ１では、ガスファンヒータ２は、バーナ１０の加熱能力を第６段階としたバーナ単独モードで暖房運転を行っている。期間ｔ２では、ガスファンヒータ２は、バーナ１０の加熱能力を第７段階としたバーナ単独モードで暖房運転を行っている。期間ｔ３では、ガスファンヒータ２は、バーナ１０の加熱能力を第７段階とし、かつ電気ヒータ２４の加熱能力を弱としたバーナ電気ヒータ併用モードで暖房運転を行っている。期間ｔ４では、ガスファンヒータ２は、バーナ１０の加熱能力を第７段階としたバーナ単独モードで暖房運転を行っている。期間ｔ５では、ガスファンヒータ２は、バーナ１０の加熱能力を第６段階としたバーナ単独モードで暖房運転を行っている。期間ｔ６では、ガスファンヒータ２は、電気ヒータ２４の加熱能力を強とした電気ヒータ単独モードで暖房運転を行っている。期間ｔ７では、ガスファンヒータ２は、電気ヒータ２４の加熱能力を弱とした電気ヒータ単独モードで暖房運転を行っている。期間ｔ８では、ガスファンヒータ２は、電気ヒータ２４の加熱能力を強とした電気ヒータ単独モードで暖房運転を行っている。
【００２７】
以下では、制御部１４によるポストファン時間の更新処理について説明する。図３に示すように、バーナ単独モードで暖房運転を実行した場合、暖房運転におけるバーナ１０の加熱能力が第１段階、第２段階、第３段階、第４段階、第５段階、第６段階、第７段階であった場合に対応するポストファン時間は、例えば１００秒、１１０秒、１２０秒、１３０秒、１４０秒、１５０秒、１６０秒である。なお、バーナ１０の加熱能力が切り換わった直後に暖房運転が終了した場合には、切り換わる前のバーナ１０の加熱能力に対応するポストファン時間と、切り換わった後のバーナ１０の加熱能力に対応するポストファン時間の間のポストファン時間が設定される。具体的には、バーナ単独モードでの暖房運転を実行中に、バーナ１０の加熱能力が増加した場合（例えば、図４の期間ｔ１から期間ｔ２への切り換わりのように、バーナ１０の加熱能力が第６段階から第７段階に切り換わった場合）には、制御部１４は、ポストファン時間を、増加する前のバーナ１０の加熱能力（例えば第６段階）に対応するポストファン時間（例えば１５０秒）から、増加した後のバーナ１０の加熱能力（例えば第７段階）に対応するポストファン時間（例えば１６０秒）に向けて、所定の増加率dT1/dt（例えば２秒/秒）で増加させる。逆に、バーナ単独モードでの暖房運転を実行中に、バーナ１０の加熱能力が低減した場合（例えば、図４の期間ｔ４から期間ｔ５への切り換わりのように、バーナ１０の加熱能力が第７段階から第６段階に切り換わった場合）には、制御部１４は、ポストファン時間を、低減する前のバーナ１０の加熱能力（例えば第７段階）に対応するポストファン時間（例えば１６０秒）から、低減した後のバーナ１０の加熱能力（例えば第６段階）に対応するポストファン時間（例えば１５０秒）に向けて、所定の低減率dT2/dt（例えば−２秒/秒）で低減させる。
【００２８】
また、図３に示すように、電気ヒータ単独モードで暖房運転を実行した場合、暖房運転における電気ヒータ２４の加熱能力が弱、強であった場合に対応するポストファン時間は、例えば１４０秒、１８０秒である。なお、電気ヒータ２４の加熱能力が切り換わった直後に暖房運転が終了した場合には、切り換わる前の電気ヒータ２４の加熱能力に対応するポストファン時間と、切り換わった後の電気ヒータ２４の加熱能力に対応するポストファン時間の間のポストファン時間が設定される。具体的には、電気ヒータ単独モードでの暖房運転を実行中に、電気ヒータ２４の加熱能力が増加した場合（例えば、図４の期間ｔ７から期間ｔ８への切り換わりのように、電気ヒータ２４の加熱能力が弱から強に切り換わった場合）には、制御部１４は、ポストファン時間を、増加する前の電気ヒータ２４の加熱能力（例えば弱）に対応するポストファン時間（例えば１４０秒）から、増加した後の電気ヒータ２４の加熱能力（例えば強）に対応するポストファン時間（例えば１８０秒）に向けて、所定の増加率dT3/dt（例えば１秒/秒）で増加させる。逆に、電気ヒータ単独モードでの暖房運転を実行中に、電気ヒータ２４の加熱能力が低減した場合（例えば、図４の期間ｔ６から期間ｔ７への切り換わりのように、電気ヒータ２４の加熱能力が強から弱に切り換わった場合）には、制御部１４は、ポストファン時間を、低減する前の電気ヒータ２４の加熱能力（例えば強）に対応するポストファン時間（例えば１８０秒）から、低減した後の電気ヒータ２４の加熱能力（例えば弱）に対応するポストファン時間（例えば１４０秒）に向けて、所定の低減率dT4/dt（例えば−１秒/秒）で低減させる。
【００２９】
図３に示すように、本実施例のガスファンヒータ２では、電気ヒータ単独モードでの暖房運転における電気ヒータ２４の加熱能力が強であった場合に対応するポストファン時間（例えば１８０秒）は、バーナ単独モードでの暖房運転において同程度の加熱能力であった場合（すなわち、バーナ１０の加熱能力が第２段階であった場合）に対応するポストファン時間（例えば１１０秒）よりも長く設定されている。これは、バーナ１０に比べて電気ヒータ２４は比熱が高いので、バーナ単独モードでの暖房運転終了後のバーナ１０に比べて、電気ヒータ単独モードでの暖房運転終了後の電気ヒータ２４の方が、温度が低下しにくいからである。上記のようにポストファン時間を設定することによって、ポストファン運転の時間を不要に長くすることなく、バーナ１０および電気ヒータ２４を確実に冷却することができる。
【００３０】
図４に示すように、本実施例のガスファンヒータ２では、バーナ単独モードでの暖房運転の実行中に、バーナ１０の加熱能力の増加に追随してポストファン時間を所定の増加率dT1/dt（例えば２秒/秒）で増加させており、電気ヒータ単独モードでの暖房運転の実行中に、電気ヒータ２４の加熱能力の増加に追随してポストファン時間を所定の増加率dT3/dt（例えば１秒/秒）で増加させており、増加率dT3/dtは増加率dT1/dtよりも低く設定されている。これは、バーナ１０に比べて電気ヒータ２４は比熱が高いので、バーナ単独モードでバーナ１０の加熱能力を増加させた場合のバーナ１０の温度上昇に比べて、電気ヒータ単独モードで電気ヒータ２４の加熱能力を増加させた場合の電気ヒータ２４の温度上昇の方が、緩やかなものとなるからである。上記のようにポストファン時間を設定することによって、ポストファン運転の時間を不要に長くすることなく、バーナ１０および電気ヒータ２４を確実に冷却することができる。
【００３１】
本実施例のガスファンヒータ２では、バーナ単独モードでの暖房運転の実行中に、バーナ１０の加熱能力の低減に追随してポストファン時間を所定の低減率dT2/dt（例えば−２秒/秒）で低減させており、電気ヒータ単独モードでの暖房運転の実行中に、電気ヒータ２４の加熱能力の低減に追随してポストファン時間を所定の低減率dT4/dt（例えば−１秒/秒）で低減させており、低減率dT4/dtは低減率dT2/dtよりも低く設定されている。これは、バーナ１０に比べて電気ヒータ２４は比熱が高いので、バーナ単独モードでバーナ１０の加熱能力を低減させた場合のバーナ１０の温度低下に比べて、電気ヒータ単独モードで電気ヒータ２４の加熱能力を低減させた場合の電気ヒータ２４の温度低下の方が、緩やかなものとなるからである。上記のようにポストファン時間を設定することによって、ポストファン運転の時間を不要に長くすることなく、バーナ１０および電気ヒータ２４を確実に冷却することができる。
【００３２】
なお、本実施例のガスファンヒータ２では、図４の期間ｔ５から期間ｔ６への切り換わりのように、暖房運転の実行中に、バーナ単独モードから電気ヒータ単独モードに切り換わった場合、制御部１４は、バーナ単独モードでのバーナ１０の加熱能力に対応するポストファン時間から、電気ヒータ単独モードでの電気ヒータ２４の加熱能力に対応するポストファン時間に向けて、電気ヒータ単独モードでのポストファン時間の増加率dT3/dt（例えば１秒/秒）または低減率dT4/dt（例えば−１秒/秒）で、ポストファン時間を増加または低減させる。逆に、本実施例のガスファンヒータ２では、暖房運転の実行中に、電気ヒータ単独モードからバーナ単独モードに切り換わった場合、制御部１４は、電気ヒータ単独モードでの電気ヒータ２４の加熱能力に対応するポストファン時間から、バーナ単独モードでのバーナ１０の加熱能力に対応するポストファン時間に向けて、バーナ単独モードでのポストファン時間の増加率dT1/dt（例えば２秒/秒）または低減率dT2/dt（例えば−２秒/秒）で、ポストファン時間を増加または低減させる。上記のようにポストファン時間を設定することによって、ポストファン運転の時間を不要に長くすることなく、バーナ１０および電気ヒータ２４を確実に冷却することができる。
【００３３】
なお、図３に示すように、バーナ電気ヒータ併用モードで暖房運転を実行した場合、暖房運転におけるバーナ１０の加熱能力が第７段階、電気ヒータ２４の加熱能力が弱であった場合に対応するポストファン時間は、例えば１７０秒である。図４の期間ｔ２から期間ｔ３への切り換わりのように、暖房運転の実行中に、バーナ単独モードからバーナ電気ヒータ併用モードに切り換わった場合、制御部１４は、バーナ単独モードでのバーナ１０の加熱能力に対応するポストファン時間（例えば１６０秒）から、バーナ電気ヒータ併用モードでの電気ヒータ２４の加熱能力に対応するポストファン時間（例えば１７０秒）に向けて、バーナ単独モードでのポストファン時間の増加率dT1/dt（例えば２秒/秒）で、ポストファン時間を増加させる。図４の期間ｔ３からｔ４への切り換わりのように、暖房運転の実行中に、バーナ電気ヒータ併用モードからバーナ単独モードに切り換わった場合、制御部１４は、バーナ電気ヒータ併用モードでの電気ヒータ２４の加熱能力に対応するポストファン時間（例えば１７０秒）から、バーナ単独モードでのバーナ１０の加熱能力に対応するポストファン時間（例えば１６０秒）に向けて、バーナ単独モードでのポストファン時間の低減率dT2/dt（例えば−２秒/秒）で、ポストファン時間を低減させる。
【００３４】
上記の実施例では、温風暖房機の一実施形態としてガスファンヒータ２を例示して説明したが、本明細書が開示する温風暖房機はこれに限られるものではなく、例えば、石油ファンヒータ、ガスストーブ、石油ストーブなどであってもよい。
【００３５】
上記の実施例では、温風暖房機が、給気口を介して室内から取り込んだ空気を、バーナの燃焼用空気として利用し、バーナからの燃焼排ガスを、吹出口を介して室内に送り出す、いわゆる開放式の温風暖房機である場合について説明したが、本明細書が開示する温風暖房機はこれに限られるものではない。本明細書が開示する温風暖房機は、例えば、給気口を介して室内から取り込んだ空気を、バーナの燃焼用空気として利用し、バーナからの燃焼排ガスを、室外に排出する、いわゆる半密閉式の温風暖房機であってもよいし、室外から取り込んだ空気を、バーナの燃焼用空気として利用し、バーナからの燃焼排ガスを、室外に排出する、いわゆる密閉式の温風暖房機であってもよい。
【００３６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３７】
２      ：ガスファンヒータ
４      ：給気口
６      ：吹出口
８      ：ガス供給管
１０    ：バーナ
１２    ：送風ファン
１４    ：制御部
１６    ：操作部
１８    ：筐体
２０    ：内部空気通路
２２    ：エアフィルタ
２４    ：電気ヒータ
２６    ：開閉弁
２７    ：流量調整弁
２８    ：イグナイタ
３０    ：室内温度センサ
３４    ：運転スイッチ
３６    ：モード選択部
３８    ：温度設定部
４０    ：表示部
４２    ：メモリ
４４    ：タイマ
【図１】
2019007677.tif 000003
【図２】
2019007677.tif 000004
【図３】
2019007677.tif 000005
【図４】
2019007677.tif 000006